(57)【要約】      （修正有）【課題】設置および分解が容易であり、重量を減らすことのできる簡単な構造の簡易ベッドを提供する。【解決手段】簡易ベッドは、両端に水平ポール１１０が挿通される布１２０；地面に接して荷重を支持する複数の支持バー１３０；および、それぞれの支持バー１３０の両端に連結され、水平ポール１１０を収容するクリップ１４２を末端に具備する複数の連結バー１４０を含み、クリップ１４２は、外側を向く部分が開放された構造を有する。【選択図】図２
2014091046.tif 000002
【特許請求の範囲】
【請求項１】
両端に水平ポールが挿通される布；
地面に接して荷重を支持する複数の支持バー；および
それぞれの支持バーの両端に連結され、前記水平ポールを収容するクリップを末端に具備する複数の連結バーを含み、
前記クリップは、外側を向く部分が開放されることを特徴とする簡易ベッド。
【請求項２】
一つ以上の連結バーには、回転軸を中心に、前記クリップを所定角度回動させ、または前記クリップの位置を固定させるクリップ調整部材が結合されることを特徴とする、請求項１に記載の簡易ベッド。
【請求項３】
前記クリップ調整部材は、前記回転軸から前記クリップに至る一端までの長さが、前記回転軸から前記クリップと反対方向にある他端までの長さよりも短く設定されて、てこの原理により作動することを特徴とする、請求項２に記載の簡易ベッド。
【請求項４】
それぞれの支持バーと連結バーは、一体に形成されるか、またはモールド結合されるか、またはインサート結合されることを特徴とする、請求項１に記載の簡易ベッド。
【請求項５】
前記モールド結合の場合、モールドの下方に追加連結脚が結合されることを特徴とする、請求項４に記載の簡易ベッド。
【請求項６】
それぞれの支持バーの両端に結合された一対の連結バーは、互いに間隔が広がる形態で結合されることを特徴とする、請求項４に記載の簡易ベッド。
【請求項７】
前記布の下部に配置される保温パッドをさらに含むことを特徴とする、請求項１に記載の簡易ベッド。
【請求項８】
前記保温パッドは、接着によって布の下部に固定されるか、または面ファスナーもしくはワイヤによって布の下部に着脱されることを特徴とする、請求項７に記載の簡易ベッド。
【発明の詳細な説明】
【技術分野】
【０００１】
本発明は、簡易ベッドに関し、より詳細には、簡単な構造を有し、かつ設置および携帯が簡便な簡易ベッドに関する。
【背景技術】
【０００２】
簡易ベッドは、非使用時にベッドが占める占有空間を減らすことができるように、分解して容積を減らすことができる形態で製造される。
【０００３】
図１は、従来の一般的な簡易ベッドの構造を示した斜視図である。
【０００４】
図１を参照すると、簡易ベッドは、脚５０がＸ字形に設計され、シート４０の両端に挟まれた連結棒３０を支持具１０の誘導口２０ａに結合して、開かれたベッドの形態を維持することになる。
【０００５】
しかし、従来の簡易ベッド構造に関する特許としては特許文献１ないし３が存在する。
【０００６】
従来の簡易ベッド構造は、脚５０がＸ字形であるので、簡易ベッドを分解して折り畳んだとしても、脚５０の長さが長いため容積を減らすには限界がある。また、脚５０の長さが長い状態で安定感を維持させるためには、脚５０自体の厚みを大きくしたり、剛性の強い材料で製造したりしなければならないので、製作費の節減や重量の側面においても欠点がある。また、簡易ベッドを組み立てる際、使用者は、シート４０をぴんと張るために連結棒３０を両側に引っ張って誘導口２０ａに挿入する必要があるが、この作業もやはり力を多く消耗する。
【先行技術文献】
【特許文献】
【０００７】
【特許文献１】韓国実用新案出願公開第２０‐１９９８‐０００６４５７号
【特許文献２】韓国登録実用新案第２０‐０４５０８９０号
【特許文献３】韓国登録実用新案第２０‐０２５２２１４号
【発明の概要】
【発明が解決しようとする課題】
【０００８】
本発明の目的は、重量を減らすことのできる簡単な構造の簡易ベッドを提供することである。
【０００９】
本発明の他の目的は、設置および分解が容易な簡易ベッドを提供することである。
【課題を解決するための手段】
【００１０】
前述した目的を達成するための本発明の一実施例による簡易ベッドは、両端に水平ポールが挿通される布；地面に接して荷重を支持する複数の支持バー；および、それぞれの支持バーの両端に連結され、前記水平ポールを収容するクリップを末端に具備する複数の連結バーを含み、前記クリップは、外側を向く部分が開放される。
【００１１】
一つ以上の連結バーには、回転軸を中心に、前記クリップを所定角度回動させ、または前記クリップの位置を固定させるクリップ調整部材が結合されてよい。
【００１２】
前記クリップ調整部材は、前記回転軸から前記クリップに至る一端までの長さが、前記回転軸から前記クリップと反対方向にある他端までの長さよりも短く設定されて、てこの原理により作動されてよい。
【００１３】
それぞれの支持バーと連結バーは、一体に形成されてもよく、モールド結合またはインサート結合されてもよい。
【００１４】
前記モールド結合の場合、モールドの下方に追加連結脚がさらに結合されてよい。
【００１５】
それぞれの支持バーの両端に結合された一対の連結バーは、互いに間隔が広がる形態で結合されてよい。
【００１６】
前記簡易ベッドは、前記布の下部に配置される保温パッドをさらに含んでよい。
【００１７】
前記保温パッドは、接着によって布の下部に固定されてもよく、面ファスナー(ベルクロ・テープ)またはワイヤによって布の下部で着脱されてもよい。
【発明の効果】
【００１８】
本発明の簡易ベッドは、地面と接する支持バーが簡単な構造を有するので、簡易ベッドの重量および容積を減らすことができるという効果がある。
【００１９】
また、本発明の簡易ベッドは、組立て時に使用者が大きな力をかけずに、簡便に組み立てることができるという効果がある。
【００２０】
また、本発明の簡易ベッドは、保温パッドを介して使用者に温かみを伝えることができるという効果がある。
【図面の簡単な説明】
【００２１】
【図１】従来の一般的な簡易ベッドの構造を示した斜視図である。
【図２】本発明の一実施例による簡易ベッドの斜視図である。
【図３】（ａ）〜（ｃ）は、図２の簡易ベッドの側面図である。
【図４】（ａ）〜（ｃ）は、本発明の他の実施例による簡易ベッドの側面図である。
【図５】（ａ）〜（ｃ）は、本発明のまた他の実施例による簡易ベッドの側面図である。
【図６】本発明のまた他の実施例による簡易ベッドの側面図である。
【図７】（ａ）〜（ｄ）は、本発明の簡易ベッドの組立てを示す図である。
【図８】（ａ）および（ｂ）は、本発明の他の実施例による簡易ベッドの側面図である。
【発明を実施するための形態】
【００２２】
以下においては、添付した図面を参照しつつ、本発明の好ましい実施例による簡易ベッドについて詳細に説明する。
【００２３】
図２は、本発明の一実施例による簡易ベッドの斜視図である。
【００２４】
図２を参照すると、本発明の簡易ベッド１００は、水平ポール１１０、布１２０、支持バー１３０、および末端にクリップ１４２を具備した連結バー１４０を含む。
【００２５】
布１２０の両端には、水平ポール１１０が挿通され、水平ポール１１０は、連結バー１４０末端のクリップ１４２に結合する。
【００２６】
連結バー１４０の下端には、地面に接して荷重を支持する支持バー１３０が連結される。図２においては、支持バー１３０および連結バー１４０のセットが４セット図示されているが、セットの数はこれに限定されず、支持バー１３０および連結バー１４０の材質、重量、負担しなければならない荷重の大きさ等、多様な要因によってその数が変更されてよい。
【００２７】
図３の（ａ）〜（ｃ）は、図２の簡易ベッドの側面図である。
【００２８】
図３の（ａ）〜（ｃ）を参照すると、支持バー１３０ａと連結バー１４０ａが一体に形成され、支持バー１３０ａ両端の各連結バー１４０ａが上方に向かって互いに間隔が広がる形態で結合されてよい。
【００２９】
布１２０上に使用者が横になると、使用者の荷重が連結バー１４０ａを介して支持バー１３０ａへと伝達され、地面と接している支持バー１３０ａが荷重を負担する。また、使用者の荷重により布１２０が下方に力を受けるようになると、両側の各水平ポール１１０、各クリップ１４２、連結バー１４０ａは、互いに間隔が狭まる方向へ力を受けることになる。この力により、水平ポール１１０とクリップ１４２間の結合が解除される可能性が発生するが、本発明のクリップ１４２は、外側を向く部分が開放された構造を有するので、両側の水平ポール１１０に対して内側に向かう力が伝達されるとしても、水平ポール１１０とクリップ１４２間の結合が容易に解除されない。
【００３０】
また、本発明の簡易ベッド１００は、連結バー１４０ａに設置され、回転軸Ｘを中心に、クリップ１４２を所定角度回動させ、または前記クリップ１４２の位置を固定させるクリップ調整部材１５０を含んでよい。図面において、クリップ調整部材１５０は、右側にのみ設置されているものと図示されているが、両側の連結バー１４０ａともに設置されてもよい。クリップ調整部材１５０を具備する場合、使用者は、クリップ調整部材１５０を介して両側のクリップ１４２間の間隔を容易に調節することができるので、水平ポール１１０とクリップ１４２の結合をより容易に遂行することができる。
【００３１】
図４の（ａ）〜（ｃ）は、本発明の他の実施例による簡易ベッドの側面図であり、図５の（ａ）〜（ｃ）は、本発明のまた他の実施例による簡易ベッドの側面図である。
【００３２】
図４の（ａ）〜（ｃ）および図５の（ａ）〜（ｃ）の簡易ベッドは、図３の（ａ）〜（ｃ）の簡易ベッドと比べて、支持バー１３０および連結バー１４０の部分のみが相違し、他の構成は同一である。
【００３３】
図４の（ａ）〜（ｃ）において、連結バー１４０ａの末端には、モールド１４４が配置され、このモールド１４４に支持バー１３０ｂの一端が挿入されてモールド結合し、支持バー１３０ｂの挿入される部分に設置されたボタン１３２により、支持バー１３０ｂと連結バー１４０ａの固定結合が維持されてよい。
【００３４】
図５の（ａ）〜（ｃ）において、連結バー１４０ｃの一部領域がベンディングされ、その末端が支持バー１３０ｃ内側に収容されるインサート結合を通じて、支持バー１３０ｃと連結バー１４０ｃが連結される。連結バー１４０ｃの挿入される部分に設置されたボタン１４６により、支持バー１３０ｃと連結バー１４０ｃの固定結合が維持されてよい。
【００３５】
図４の（ａ）〜（ｃ）および図５の（ａ）〜（ｃ）の簡易ベッドの場合、支持バー１３０ｂと連結バー１４０ａを互いに分離することができ、簡易ベッドを解除した後に嵩を減らすことができるので、携帯性が改善される。
【００３６】
図６は、本発明のまた他の実施例による簡易ベッドの側面図である。
【００３７】
図６を参照すると、図４の（ａ）〜（ｃ）における簡易ベッド１００に、追加連結脚１４８がさらに結合した形態である。すなわち、モールド結合の場合、モールド１４４の下方に追加連結脚１４８を取り付けてよく、地面に接する支持バー１３０ｂを空中に浮かせることにより、簡易ベッド１００の高さがより高くなるように構成してよい。前記追加連結脚１４８は、ゴム紐の組み付けにより容易に折り畳まれる形態で構成されてよい。
【００３８】
図７の（ａ）〜（ｄ）は、本発明の簡易ベッドの組立てを示す図である。
【００３９】
図７の（ａ）において、まず、布１２０に水平ポール１１０が挿通され、図７の（ｂ）において、水平ポール１１０を一側のクリップ１４２に結合させ、他側のクリップ１４２は、クリップ調整部材１５０を介して内側に所定角度回動させる。
【００４０】
続いて、図７の（ｃ）において、内側へ回動したクリップ１４２に、他側の水平ポール１１０を嵌合する。前述したところのように、本発明は、クリップ調整部材１５０を介して使用者が両側のクリップ１４２間の間隔を容易に調節することができるので、水平ポール１１０とクリップ１４２の結合をより容易に遂行することができる。ここで、クリップ調整部材１５０は、回転軸Ｘからクリップ１４２に至る一端までの長さＹが、回転軸Ｘからクリップ１４２の反対方向にある他端までの長さＺよりも短く構成されて、てこの原理により作動する。使用者が回転軸Ｘから手で力を加えるクリップ調整部材１５０部分が、回転軸Ｘからクリップ１４２までの長さよりも許容限度内で長く構成することにより、使用者は、大きな力をかけずに、布１２０のプリテンション（ｐｒｅｔｅｎｓｉｏｎ）を加えることができる。また、クリップ調整部材１５０の構造上、クリップ１４２の移動距離が相当に大きく、支持バー１３０と連結バー１４０が弾性体からなるので、簡易ベッド１００を長時間使用して布１２０が多少伸びてもテンションが維持され得る。
【００４１】
続いて、図７の（ｃ）のように水平ポール１１０とクリップ１４２を結合させた後に、図７の（ｄ）のように、さらにクリップ調整部材１５０を介してクリップ１４２を外側に向け回動させて、クリップ１４２の位置を固定させると、簡易ベッド１００の組立てが完了する。
【００４２】
図８の（ａ）および（ｂ）は、本発明のまた他の実施例による簡易ベッドの側面図である。
【００４３】
図８の（ａ）を参照すると、布１２０の下部に保温パッド１６０が配置される。従来のスリーピングバッグの場合、保温効果のために大部分羽毛を詰め込んで嵩を膨らませて使用する。しかし、このようなスリーピングバッグは、使用者の身体により床面部分の羽毛が平らに押し潰されて十分な保温効果を達成することができなくなり、これを補完するために、床面にエアマットレス等を敷き、スリーピングバッグとともに使用することになる。これとは異なり、本発明の簡易ベッド１００は、布１２０の床面部に保温パッド１６０を配置し、使用者が布１２０の上に横になっても、保温パッド１６０の保温効果には影響がないので、保温パッド１６０を軽く、薄く構成するとしても十分な保温効果を期待することができる。
【００４４】
保温パッド１６０は布１２０の下部に接着されて固定されてもよく、また、面ファスナーで着脱されてもよい。低い気温または屋外の環境において簡易ベッド１００が設置される場合、保温パッド１６０が有用に使用され得る。
【００４５】
図８の（ｂ）は、布１２０と保温パッド１６０を別個の部材として製造し、ワイヤ１６２を介して布１２０の下部に保温パッド１６０が着脱される形態を示した図である。
【００４６】
保温パッド１６０を着脱式に構成する場合、保温パッド１６０のみを容易に分離または交換することができるので、使用の便宜性を向上させ得る。
【００４７】
以上においては、本発明の好ましい実施例について説明したが、本発明はこれらに限定されるものでなく、特許請求の範囲と発明の詳細な説明および添付した図面の範囲内において様々に変形して実施することが可能であり、これもまた本発明の範囲に属することは当然である。
【符号の説明】
【００４８】
１００：簡易ベッド
１１０：水平ポール
１２０：布
１３０：支持バー
１３２，１４６：ボタン
１４８：追加連結脚
１４０：連結バー
１４２：クリップ
１５０：クリップ調整部材
１６０：保温パッド
１６２：ワイヤ
【図１】
2014091046.tif 000003
【図２】
2014091046.tif 000004
【図３】
2014091046.tif 000005
【図４】
2014091046.tif 000006
【図５】
2014091046.tif 000007
【図６】
2014091046.tif 000008
【図７】
2014091046.tif 000009
【図８】
2014091046.tif 000010